(57)【要約】【課題】  柔らかなパーマネントウェーブが可能となると共に全体重量が軽減されたパーマ用ロッドを提供する。【解決手段】  パーマ用ロッド１５は、円筒形状を有し、発泡ポリエチレンよりなる発泡体１８と、発泡体１８の中心内部をその軸方向に貫通した状態で取付けられた芯棒１７とから構成されている。芯棒１７の一方端部には切欠部２４が形成されたフラット片２０が接続されており、他方端部には切欠部２９が形成されている。使用時にあっては、フラット片２０を図示しないパーマ整髪用巻回器に取付けた状態で巻回すべき髪３６の先端部分を発泡体１８上にセットする。この状態でフラット片２０を回転させることによって髪３６は発泡体１８の周壁上にスパイラル状に巻回される。これによって、柔らかなパーマネントウェーブが可能となる。【選択図】      図４
2005052330.tif 000002
【特許請求の範囲】
【請求項１】
円柱形状の発泡体と、
前記発泡体の両端部の各々に挿入された棒形状を有する芯棒とを備えた、パーマ用ロッド。
【請求項２】
前記発泡体は、独立気泡を有する合成樹脂よりなる、請求項１記載のパーマ用ロッド。
【請求項３】
前記芯棒は、前記発泡体を貫通しており、その両端部の各々に、切欠部が形成される、請求項１又は請求項２記載のパーマ用ロッド。
【請求項４】
前記芯棒は断面丸形状を有し、前記両端部の一方には、平板状のフラット片が接続されると共に、他方には外方に突出した長片及び短片が接続される、請求項３記載のパーマ用ロッド。
【請求項５】
前記芯棒は、前記発泡体の両端部の各々に挿入された第１芯棒及び第２芯棒よりなり、各々の外方端部には切欠部が形成される、請求項１又は請求項２記載のパーマ用ロッド。
【請求項６】
前記第１芯棒及び前記第２芯棒は断面が矩形形状を有する、請求項５記載のパーマ用ロッド。
【請求項７】
パーマ用ロッドであって、
長尺円柱形状よりなり、独立気泡を有する合成樹脂よりなる発泡体と、
前記発泡体の一方端部に挿入された芯棒と、
前記芯棒の内方側に接続されると共に、前記発泡体の他方端部まで前記発泡体内部を挿通する、屈曲自在で且つ保形性を有する線条体とを備えた、パーマ用ロッド。
【請求項８】
前記芯棒は、断面が矩形形状を有する、請求項７記載のパーマ用ロッド。
【請求項９】
円柱形状よりなり、独立気泡を有する合成樹脂よりなる発泡体と、
前記発泡体の両端部の各々に取り付けられ、突起形状を有する係止体とを備えた、パーマ用ロッド。
【発明の詳細な説明】
【技術分野】
【０００１】
この発明はパーマ用ロッドに関し、特に髪を巻き付けてパーマネント処理を行うためのパーマ用ロッドに関するものである。
【背景技術】
【０００２】
図１１は従来のパーマ用ロッドの外観形状を示した概略図であり、図１２は図１１で示したＸＩＩ−ＸＩＩラインの断面図である。
これらの図を参照して、パーマ用ロッド６１は合成樹脂よりなる円筒形状の胴体６２と、胴体６２の両端部の各々に形成された、図示しないロッド係合体と係合するための係合片６３ａ，係合片６３ｂと、胴体６２の側壁上に取付けられたスポンジ体６５とから構成されている。
【０００３】
使用時にあっては、パーマ用ロッド６１の係合片６３ａ，係合片６３ｂのいずれかをロッド係合体に係合させた状態で、パーマネント処理すべき髪をスポンジ体６５上にセットする。この状態で図示しないロッド係合体を回転させることによって、髪をスポンジ体６５上に巻き付ける。所定の巻き付けが終了した状態で、ロッド係合体をパーマ用ロッド６１から分離する。
【０００４】
この状態で係合片６３ａ及び係合片６３ｂ間に輪ゴム等を掛け渡して、パーマ用ロッド６１を巻き付けた髪に対して固定する。そしてパーマネント処理に必要な薬液を巻き付けられた髪に塗布する。薬液の塗布が終了して所定時間が経過すると、パーマ用ロッド６１を髪から取外し、髪を乾燥させることによってパーマネント処理が終了する。
【発明の開示】
【発明が解決しようとする課題】
【０００５】
上記のような従来のパーマ用ロッドでは、筒状の胴体が合成樹脂により形成されているため、パーマ用ロッド６１全体の重量がどうしても重くなってしまう。そのため、パーマネント処理のためにこのパーマ用ロッドを多数髪につけた状態となると、全体の重さが過大となり、頭への負担が大きくなってしまう。又、胴体の周壁部上にはスポンジ体が形成されているが、パーマネント処理のための薬液がこのスポンジ体に吸収されるため、薬液の消費量が必要以上多くなってしまう。又、薬液が必要以上に多く使われるため、パーマネント処理される髪にダメージを与えやすい。このようなことから、スポンジ体の厚さは余り厚くできないため、スポンジ体の柔軟性を利用した柔らかな風合のパーマネントウェーブを施工することは困難であった。
【０００６】
この発明は、上記のような課題を解決するためになされたもので、柔らかなパーマネントウェーブが可能となると共に、全体重量が軽減されたパーマ用ロッドを提供することを目的とする。
【課題を解決するための手段】
【０００７】
上記の目的を達成するために、請求項１記載の発明は、円柱形状の発泡体と、発泡体の両端部の各々に挿入された棒形状を有する芯棒とを備えたものである。
【０００８】
このように構成すると、使用時にあっては、髪は発泡体の表面に巻回される。
【０００９】
請求項２記載の発明は、請求項１記載の発明の構成において、発泡体は独立気泡を有する合成樹脂よりなるものである。
【００１０】
このように構成すると、使用時にあっては、パーマネント用の薬液が発泡体の内部に浸透しない。
【００１１】
請求項３記載の発明は、請求項１又は請求項２記載の発明の構成において、芯棒は発泡体を貫通しており、その両端部の各々には、切欠部が形成されるものである。
【００１２】
このように構成すると、発泡体の折曲げ強度が向上すると共に、芯棒の両端部に切欠が存在する。
【００１３】
請求項４記載の発明は、請求項３記載の発明の構成において、芯棒は断面丸形状を有し、両端部の一方には平板状のフラット片が接続されると共に、他方には外方に突出した長片及び短片が接続されるものである。
【００１４】
このように構成すると、フラット片を介してパーマ整髪用巻回器を接続して使用することが可能となる。
【００１５】
請求項５記載の発明は、請求項１又は請求項２記載の発明の構成において、芯棒は、発泡体の両端部の各々に挿入された第１芯棒及び第２芯棒よりなり、各々の外方端部には切欠部が形成されるものである。
【００１６】
このように構成すると、発泡体への芯棒の取付けが容易となると共に、第１芯棒及び第２芯棒の各々に切欠が存在する。
【００１７】
請求項６記載の発明は、請求項５記載の発明の構成において、第１心棒及び第２芯棒は断面が矩形形状を有するものである。
【００１８】
このように構成すると、芯棒の回転に伴って発泡体が確実に一体的に回転する。
【００１９】
請求項７記載の発明は、パーマ用ロッドであって、長尺円柱形状よりなり、独立気泡を有する合成樹脂よりなる発泡体と、発泡体の一方端部に挿入された芯棒と、芯棒の内方側に接続されると共に、発泡体の他方端部まで発泡体内部を挿通する、屈曲自在で且つ保形性を有する線条体とを備えたものである。
【００２０】
このように構成すると、使用時にあっては髪はロッドと一体となって巻回される。
【００２１】
請求項８記載の発明は、請求項７記載の発明の構成において、芯棒は断面が矩形形状を有するものである。
【００２２】
このように構成すると芯棒の回転に伴って発泡体が確実に一体的に回転する。
【００２３】
請求項９記載の発明は、円柱形状よりなり、独立気泡を有する合成樹脂よりなる発泡体と、発泡体の両端部の各々に取り付けられ、突起形状を有する係止とを備えたものである。
【００２４】
このように構成すると、使用時にあっては、髪は発泡体の表面に巻回されると共に、パーマネント用の薬液が発泡体の内部に浸透しない。
【発明の効果】
【００２５】
以上説明したように、請求項１記載の発明は、髪は発泡体の表面に巻回されるので、パーマネントウェーブがソフトに仕上がると共に、全体重量が軽減されるため使用勝手が良い。
【００２６】
請求項２記載の発明は、請求項１記載の発明の効果に加えて、薬液が発泡体内部に浸透しないため、薬液の使用量が抑制されると共に、薬液過多による髪へのダメージが軽減する。更に、使用後のロッドの乾燥に要する時間を短縮化することができる。
【００２７】
請求項３記載の発明は、請求項１又は請求項２記載の発明の効果に加えて、発泡体の折曲げ強度が向上すると共に芯棒の両端部に切欠が存在するため、発泡体をより軽く形成できると共に、芯棒の両端部の切欠に輪ゴム等を掛け渡して係止できるため、巻回状態を容易に保持することが可能となる。
【００２８】
請求項４記載の発明は、請求項３記載の発明の効果に加えて、フラット片を介してパーマ整髪用巻回器を接続して使用することが可能となるため、より効率的な髪の巻回が可能となる。
【００２９】
請求項５記載の発明は、請求項１又は請求項２記載の発明の効果に加えて、発泡体への芯棒の取付けが容易となると共に第１芯棒及び第２芯棒の各々に切欠が存在するため、ロッドの形成が容易となると共に、第１芯棒及び第２芯棒の切欠に輪ゴム等を掛け渡して係止することができるので、巻回状態を容易に保持することが可能となる。
【００３０】
請求項６記載の発明は、請求項５記載の発明の効果に加えて、芯棒の回転に伴って発泡体が確実に一体的に回転するため、使用時の信頼性が向上する。
【００３１】
請求項７記載の発明は、髪はロッドと一体となって巻回されるためより個性的なパーマネントウェーブが可能となると共に全体重量が軽減されるため、使い勝手が良い。又、薬液が内部に浸透しないので、薬液の使用量が抑制されると共に髪へのダメージを軽減する。更に、使用後のロッドの乾燥に要する時間を短縮化することができる。
【００３２】
請求項８記載の発明は、請求項７記載の発明の効果に加えて、芯棒の回転に伴って発泡体が確実に一体的に回転するため、使用時の信頼性が向上する。
【００３３】
請求項９記載の発明は、パーマネントウェーブがソフトに仕上がると共に、全体重量が軽減されるため、使い勝手が良い。又、薬液が発泡体内部に浸透しないため、薬液の使用量が抑制されると共に、薬液過多による髪へのダメージが軽減する。更に、使用後のロッドの乾燥に要する時間を短縮化することができる。
【発明を実施するための最良の形態】
【００３４】
図１はこの発明の第１の実施の形態によるパーマ用ロッドの外観形状を示した概略図であり、図２は図１で示したＩＩ−ＩＩラインの断面図である。
【００３５】
これらの図を参照して、パーマ用ロッド１５は、円柱形状を有する発泡ポリエチレンよりなる発泡体１８と、発泡体１８の中心部をその軸方向に貫通する芯棒１７とから構成されている。芯棒１７は、合成樹脂よりなり、棒状の胴体１９を中心として構成され、その一方端部には平板状のフラット片２０が接続されている。フラット片２０は胴体１９に接続する部分から斜め後方に伸びる一対の傾斜辺２１ａ，傾斜辺２１ｂと、傾斜辺２１ａ，傾斜辺２１ｂの各々の端部から胴体１９の軸方向に対して平行に伸びる一対の平行辺２３ａ，平行辺２３ｂとから構成され、その底辺部には切欠部２４が形成されている。
【００３６】
一方、胴体１９の他方端部には、胴体１９の軸方向と平行に伸びる切欠部２９が形成されており、切欠部２９の一方側は長片２７を構成し、切欠部２９の他方側は長片２７より短く形成された短片２８を構成している。そして、長片２７及び短片２８の外面は、胴体１９の対応する外面に整列したものとなっている。
【００３７】
尚、発泡体１８はその内面に多数の気泡が形成されているが、これらはそれぞれ独立的に形成された独立気泡となっている。このため発泡体１８の表面に薬液等が付着した場合であっても、その内部に薬液が浸透することはない。また多数の気泡によって形成されているため、発泡体１８はその厚さを大きくした場合であっても、その全体重量は極めて小さなものとなる。更にその気泡の大きさを制御することによって，発泡体１８自体の弾性力や変形の程度等を自在に変えることが可能となる。
【００３８】
又、この実施の形態では、芯棒１７が発泡体１８全体を貫通して形成されているため、発泡体１８の強度に関わらず、パーマ用ロッド１５自体の曲げ強度を向上する。尚、発泡体１８を押出し成形によって成形する場合には、その中心部において軸方向に貫通する開口を成形時に形成することが可能である。そのため、この開口に芯棒１７を長片２７及び短片２８側から貫通させ、その周壁を発泡体１８に接着等することによって、容易にパーマ用ロッドを形成することが可能となる。
【００３９】
図３は図１及び図２で示したパーマ用ロッドの使用状態を示した概略斜視図である。
【００４０】
図を参照して、使用時にあっては、パーマ整髪用巻回器３２の胴部３３の先端に取付けられたラッパ状のロッド保持具３４に対して、パーマ用ロッド１５の芯棒１７の一方端部に形成されているフラット片２０を挿入して取付ける。この状態でパーマネント処理すべき髪３６をパーマ用ロッド１５の発泡体１８の先端側にセットする。次にパーマ整髪用巻回器３２の胴部３３に位置する図示しないスイッチをオンにすることによって、ロッド保持具３４が矢印の方向に回転する。この回転に伴いロッド保持具３４に取付けられたパーマ用ロッド１５もその軸方向周りに回転する。これによってブロック毎にスライスされ、パーマ用ロッド１５の先端側にセットされた髪３６は、この回転に伴い発泡体１８上を図に示すようにスパイラル状に巻き付けられることになる。
【００４１】
この巻き付けの際、発泡体１８は厚みがあり且つ相当の弾性力があるため、発泡体１８に巻き付けられた髪３６は、柔らかなウェーブ状態で巻回されることになる。所定量の髪３６のパーマ用ロッド１５への巻回が終了すると、芯棒１７のフラット片２０をロッド保持具３４から引き抜くことによって、パーマ用ロッド１５をパーマ整髪用巻回器３２から分離する。
【００４２】
図４はパーマ整髪用巻回器３２から分離されたパーマ用ロッド１５の状態を示した斜視図である。
【００４３】
図を参照して、パーマ整髪用巻介器から取外されたパーマ用ロッド１５はそのままの状態にしておくと、パーマ用ロッド１５が逆回転してしまい巻回された髪３６がパーマ用ロッド１５から解けてしまう虞がある。そのため、パーマ用ロッド１５の芯棒１７の両端部に形成された切欠部２４及び切欠部２９を利用して、これらを掛け渡すように輪ゴム３８を取付ける。これによってパーマ用ロッド１５の回転が阻止され、髪３６のパーマ用ロッド１５からの脱落が防止される。
【００４４】
このようにして次々とスライスされた髪を同様にパーマ用ロッド１５の発泡体１８上に巻回させ、これを輪ゴム３８によって固定する。そのため、多数のパーマ用ロッド１５がパーマネント処理すべき髪に取付けられることになるが、パーマ用ロッド１５の重量は従来のロッドに比べてその重量が極めて軽いため、パーマネント処理時の頭への負担を軽減する。
【００４５】
次に、この状態で発泡体１８の各々上に巻回された髪３６にパーマネント処理用の薬液を塗布する。上述のように発泡体１８は独立気泡によって構成されているため、塗布された薬液は発泡体１８内部に浸透する虞はない。このため、必要以上の薬液を塗布する必要がないため、薬液の使用量が抑制されると共に、巻回された髪３６の薬液過多によるダメージを軽減する。又、上述のように弾力性のある発泡体１８の上に巻回された状態で髪３６はパーマネント処理されるため、従来のロッドとは異なった柔らかな風合いのパーマネントウェーブが形成されることになる。
【００４６】
尚、薬液の塗布後所定時間が経過してパーマネント処理が完了すると、発泡体１８はパーマ用ロッド１５の最大径を有する円筒形状に形成されているため、パーマ用ロッド１５を逆回転させることなく、そのまま巻回された状態の髪３６から引き抜くことが可能となる。
【００４７】
図５はこの発明の第２の実施の形態によるパーマ用ロッドの外観形状を示した概略図であり、図６は図５で示したＶＩ−ＶＩラインの断面図である。
【００４８】
これらの図を参照して、パーマ用ロッド１５は円筒形状を有する発泡ポリエチレンよりなる発泡体１８と、発泡体１８の両端部に発泡体１８の軸方向に挿入されて固定された第１芯棒４０及び第２芯棒４４とから構成されている。発泡体１８の材質は先の第１の実施の形態によるものと基本的には同一であるが、その外径が先の実施の形態によるものより大きくなっている。そのため、発泡体１８自体の曲げ強度は大きくなるため、先の実施の形態によるものと異なり、第１芯棒４０及び第２芯棒４４が発泡体１８全体を貫通するように取付けられていない。又、第１芯棒４０を構成する胴部４３は矩形断面形状を有しており、その外方側は先の実施の形態による一方端と同様にパーマ整髪用巻回器に係合することができるフラット片４１が形成されている。又、フラット片４１の外方端部には切欠部４２が形成されている。一方、発泡体１８の反対側に取付けられている第２芯棒４４も、第１芯棒４０と同様の形状を有している。
【００４９】
尚、発泡体１８を押出し成形によって成形する場合には、その中心部において軸方向に貫通する矩形断面形状の開口を成形時に形成することが可能である。この場合、発泡体１８の両端部から第１芯棒４０及び第２芯棒４４を開口に向けて挿入して接着剤等で固定すれば良い。
【００５０】
上述のように胴部４３は矩形断面形状を有しているため、発泡体１８に挿入されている部分は図６に示した断面状態となっている。従って、第１芯棒４０のフラット片４１を図示しないパーマ整髪用巻回器に係合させてこれを回転させると、発泡体１８は胴部４３と確実に一体的に回転する。従って第１芯棒４０の回転が確実に発泡体１８に伝達されることになり、使用時の信頼性を向上する。先の第１の実施の形態では芯棒１７を発泡体１８の中心に貫通させる必要があるため、芯棒１７の両端部にフラット片を形成することが困難であった。しかし、この第２の実施の形態によれば、第１芯棒４０及び第２芯棒４４を発泡体１８の中心に対して貫通させていないため、各々に対してフラット片４１及びフラット片４５を形成した状態でパーマ用ロッド１５を構成することが可能となる。そのため、髪の巻回毎に発泡体１８の両側のフラット片の切欠部に対して掛け渡せるため、より使い勝手が向上する。
【００５１】
図７はこの発明の第３の実施の形態によるパーマ用ロッドの外観形状を示した概略図であり、図８は図７で示したＶＩＩＩ−ＶＩＩＩラインの断面図である。
【００５２】
これらの図を参照して、パーマ用ロッド１５は長尺円柱形状を有し、発泡ポリエチレンよりなる独立気泡を有する発泡体１８を中心として構成されている。発泡体１８の一方端部には、基本的には第２の実施の形態によるものと同一形状の芯棒４８が挿入されて固定されている。すなわち、芯棒４８は、矩形断面形状の胴部５１と胴部５１の外方端部に接続された切欠部５０を有するフラット片４９とから形成されている。発泡体１８の中心部で軸方向には、発泡体１８の両端部まで伸びる針金５２が挿通されている。針金５２は芯棒４８側においては胴部５１の端部に巻き付けられて固定されている。一方、針金５２の反対側の端部は、発泡体１８の端部から外方側に一部露出して発泡体１８の端部に巻き付けられた状態で固定されている。尚、針金５２は、屈曲自在で且つ保形性を有する線条体として機能する。このためパーマ用ロッド１５の発泡体１８は自在な形状に折曲げたりすることが可能となり、又、その折曲げられた状態を保持することが可能となる。
【００５３】
使用時にあっては、芯棒４８を図示しないパーマ整髪用巻回器にセットした後、例えばブロック毎にスライスされた髪を発泡体１８の軸方向に添わせてセットする。この状態で芯棒４８を回転させることによって、発泡体１８に添わせた髪を発泡体１８と共に一体的に巻回させることが可能となる。これによって通常のパーマ用ロッドでは得れない特有のウェーブ処理が施されたパーマネントが可能となる。尚、このパーマ用ロッド１５にあっても、その全体重量は軽くなると共に、発泡体１８に薬液が浸透する虞がない。そのため薬液の浸透によるパーマ用ロッド１５の重量増加はないため、より多くのパーマ用ロッド１５を同時に使用しても髪への負担が少なく、特有の髪形にセットすることが可能となる。又、発泡体１８は押出し成形によって形成することが可能であるため、その中心部において軸方向に貫通する開口を前もって形成しておくことが可能である。そのため、この開口に沿って針金５２を通すことによって、容易にこの実施の形態によるパーマ用ロッド１５を製造することが可能となる。
【００５４】
図９はこの発明の第４の実施の形態によるパーマ用ロッドの外観形状を示した概略図であり、図１０は図９で示したＸ−Ｘラインから観た拡大図である。
【００５５】
これらの図を参照して、パーマ用ロッド１５は、太い径（例えば外径２０ｍｍ以上）の発泡ポリエチレンよりなる発泡体１８と、発泡体１８の両端部に取り付けられた一対の係止体５４ａ，５４ｂとから構成されている。係止体５４ａ，５４ｂは合成樹脂により形成され、発泡体１８に接着剤等を介して固定されたキャップ状のベース部５５と、ベース部５５の外周部に所定間隔で立設する複数の突起部５６とからなっている。
【００５６】
使用時にあっては、パーマネント処理すべき髪を発泡体１８の上に巻回した後、両端の係止体５４ａ，５４ｂの各々の突起部５６の間に形成される切欠部５７を利用して輪ゴム等を掛け渡して、パーマ用ロッド１５を巻き付けた髪に固定する。以下、薬液等を塗布してパーマネント処理を行う。この実施の形態による係止体５４は特定形状をしているが、この形状には限らず発泡体の両端部に取り付けられ、且つ輪ゴム等の係止が可能な形状であれば、切り込みも含め他の形状の突起部であっても良い。
【００５７】
尚、上記の各実施の形態では、発泡体として発泡ポリエチレンを使用しているが、他の合成樹脂による発泡体であっても良い。
【００５８】
又、上記の各実施の形態では、発泡体は独立気泡としているが、連続気泡であっても良く、この場合軽量化及び柔軟性の利点を有するものである。
【００５９】
更に、上記の第１から第３の実施の形態では、芯棒に切欠部が形成されているが、切欠部は必ずしも無くても良い。
【００６０】
更に、上記の第１から第３の実施の形態では、芯棒の端部にフラット片等が形成されているが、芯棒は単なる断面丸形状や断面矩形形状の棒体であっても良い。
【００６１】
更に、上記の第１から第３の実施の形態では、芯棒のフラット片をパーマ整髪用巻回器のラッパ状のロッド保持具に挿入して取り付けているが、クリップ状の保持具を有するパーマ整髪用巻回器を使用する場合には、フラット片をこの保持具で挟むように保持した状態で回転させて使用することも可能である。
【００６２】
更に、上記の第３の実施の形態では、線条体として針金を用いているが、これに代えて銅線、アルミ線等を用いても良く、又、フラット片は必ずしも必要ではなく、更に線条体の両端部の固定方法は他の方法であっても良い。
【図面の簡単な説明】
【００６３】
【図１】この発明の第１の実施の形態によるパーマ用ロッドの外観形状を示した概略図である。
【図２】図１で示したＩＩ−ＩＩラインの断面図である。
【図３】図１で示したパーマ用ロッドの使用状態を示すための概略斜視図である。
【図４】図３で示した状態からパーマ用ロッドをパーマ整髪用巻回器から取外した状態を示した斜視図である。
【図５】この発明の第２の実施の形態によるパーマ用ロッドの外観形状を示した概略図である。
【図６】図５で示したＶＩ−ＶＩラインの断面図である。
【図７】この発明の第３の実施の形態によるパーマ用ロッドの外観形状を示した概略図である。
【図８】図７で示したＶＩＩＩ−ＶＩＩＩラインの断面図である。
【図９】この発明の第４の実施の形態によるパーマ用ロッドの外観形状を示した概略図である。
【図１０】図９で示したＸ−Ｘラインから観た拡大図である。
【図１１】従来のパーマ用ロッドの外観形状を示した概略図である。
【図１２】図１１で示したＸＩＩ−ＸＩＩラインの断面図である。
【符号の説明】
【００６４】
１５…パーマ用ロッド
１７，４８…芯棒
１８…発泡体
２０…フラット片
２４，２９，４２，４６，５０…切欠部
４０…第１芯棒
４３，４７…胴部
４４…第２芯棒
５２…針金
５４…係止体
尚、各図中同一符号は同一又は相当部分を示す。
【図１】
2005052330.tif 000003
【図２】
2005052330.tif 000004
【図３】
2005052330.tif 000005
【図４】
2005052330.tif 000006
【図５】
2005052330.tif 000007
【図６】
2005052330.tif 000008
【図７】
2005052330.tif 000009
【図８】
2005052330.tif 000010
【図９】
2005052330.tif 000011
【図１０】
2005052330.tif 000012
【図１１】
2005052330.tif 000013
【図１２】
2005052330.tif 000014